(57)【要約】【課題】  使用する吊掛具の個数を半減できて支持杆への取付作業も半減でき、その上、吊掛具を支持部材に整然と取り付けることができて、コストも抑えることができる吊掛具を得ること。【解決手段】  支持部材２の支持杆２３に締付ねじ１３により着脱可能に固定される取付ボス部１１と、該取付ボス部１１に固着される吊掛軸部１２とを備えた吊掛具１の吊掛軸部１２が、正面から見て上部が開放するコ字状の中央連結部１２ａと、中央連結部１２ａの両端部から左右外方に延びかつ任意の位置に複数の引掛片１２ｄを有する左右吊掛部１２ｂ，１２ｃを備え、吊掛軸部１２が中央連結部１２ａの下部を介して取付ボス部１１の一側面に両持ち状に固着されていること。【選択図】図１
0003118813.tif 000002
【実用新案登録請求の範囲】
【請求項１】
支持部材の支持杆に固定手段により着脱可能に固定される取付ボス部１１と、該取付ボス部１１に固着される吊掛軸部１２とを備えた吊掛具であって、吊掛軸部１２が正面から見て上部が開放するコ字状の中央連結部１２ａと、中央連結部１２ａの両端部から左右外方に延びかつ任意の位置に複数の引掛片１２ｄを有する左右吊掛部１２ｂ，１２ｃを備え、吊掛軸部１２が中央連結部１２ａの下部を介して取付ボス部１１の一側面に両持ち状に固着されていることを特徴とする吊掛具。
【考案の詳細な説明】
【技術分野】
【０００１】  本考案は、主として展示用の吊掛具、詳しくは支持部材の支持杆に固定手段により着脱可能に固定される取付ボス部と、該取付ボス部に固着される吊掛軸部とを備えた吊掛具に関する。
【背景技術】
【０００２】  従来、この種の展示用の吊掛具としては、例えば図８及び図９に示すように展示用壁材（支持部材）Ａに断面円形の金属製丸棒材からなる支持杆Ｂを適宜固定手段により固定する一方、支持杆Ｂの任意の位置に取付ボス部Ｃと、該取付ボス部Ｃに固定される複数の引掛片Ｅをもつ吊掛軸部Ｆとでなる吊掛具Ｇを取付ボス部Ｃに設けた締付ネジＨにより着脱可能に取り付けるように構成されている。その場合、吊掛具Ｇの吊掛軸部Ｆは取付ボス部Ｄの前面から前方に突出する突出杆Ｉとこれの先端から上方に立ち上がる起立杆Ｊを介して前方に延びており、つまり取付ボス部Ｃに片持ち状に取り付けられた構成となっている。【０００３】  そして、例えば靴下等の商品を吊下状に展示する際には、展示用壁材（支持部材）Ａの支持杆Ｂに前方側に向かって片持ち状に取り付けられた吊掛具Ｇの吊掛軸部Ｆにその引掛片Ｅを利用して多数の商品を順次吊下状に展示するようになされている。
【考案の開示】
【考案が解決しようとする課題】
【０００４】  ところが、上記した吊掛具Ｇによれば、支持杆Ｂに片持ち状に取り付けられる構造であることから、多量の商品を吊り下げる場合、吊掛具Ｇを数多く用いて支持杆Ｂに取り付ける必要があり、その取付作業が非常に面倒で手間を要するものであった。また、支持杆Ｂを有効に利用するため、吊掛具Ｇを支持杆Ｂの左右方向に交互に突出させて取り付けることも可能であるが、その場合、吊掛具Ｇの取付ボス部Ｃがその左右方向のいずれかによって支持杆Ｂに対して段違いに取り付けられることになり、支持杆Ｂに吊掛具Ｇを左右対称に整然と取り付けることができず体裁が悪いといった問題があり、その上、ねじ止め手段をもつ取付ボス部を備えた吊掛具Ｇの使用個数が倍加することにより不経済となる問題があった。【０００５】  そこで、本考案は例えば靴下等の商品を１つの吊掛具で支持杆に対し両持ち状に支持して多量に吊り下げることができるようにし、これにより使用する吊掛具の個数を半減できて支持杆への取付作業を半減できると共に、吊掛具を支持杆に整然と取り付けることができ、その上、全体としてのコストも抑えることができる吊掛具の提供を課題とする。
【課題を解決するための手段】
【０００６】  上記した問題を解決するために、本願の請求項１に記載の考案は、支持部材の支持杆に固定手段により着脱可能に固定される取付ボス部１１と、該取付ボス部１１に固着される吊掛軸部１２とを備えた吊掛具であって、吊掛軸部１２が正面から見て上部が開放するコ字状の中央連結部１２ａと、中央連結部１２ａの両端部から左右外方に延びかつ任意の位置に複数の引掛片１２ｄを有する左右吊掛部１２ｂ，１２ｃを備え、吊掛軸部１２が中央連結部１２ａの下部を介して取付ボス部１１の一側面に両持ち状に固着されていることを特徴とする。
【考案の効果】
【０００７】    本考案によれば、上記した構成により吊掛具１が支持部材の支持杆に両持ち状に支持されることになるので、例えば靴下等の商品を左右吊掛部１２ｂ，１２ｂの掛止片１３ａ，１３ａ間において多量に吊り下げることができる。これにより、従来の片持ちタイプ吊掛具に比べて使用する吊掛具１を半減できて支持杆への取付作業を簡単迅速にできると共に、段違いになることなく支持杆に吊掛具１を整然と取り付けることができ、その上、固定手段をもつ取付ボス部１１を備えた吊掛具１の個数を減らすことにより、全体としてのコストも抑えることができ経済的となる。
【考案を実施するための最良の形態】
【０００８】  以下、本考案の実施の形態を図に基づいて説明する。
図１は本考案の吊掛具１を展示用の支持部材２に適用したもので、先ず、支持部材２は、金属製のもので一対の横杆２１，２１と、これら横杆２１，２１の中央を連結する水平杆２２とからなる基体２０と、水平杆２２に立設される複数本（図では３本）の支持杆２３，２３，２３とを備え、各横杆２１，２１の両端下部にはキャスター２４，２４がそれぞれ取り付けられていると共に、各支持杆２３，２３，２３の上部は連結杆２５により連結固定されている。【０００９】  一方、吊掛具１は図２〜図４に示すように支持部材２の支持杆２３に後記する締付ボルトにより着脱可能に取り付けられる取付ボス部１１と、該取付ボス部１１に固着された吊掛軸部１２とを備えている。取付ボス部１１は、図４に示すように横倒しの金属製円柱体からなり、その長さ方向中間部に平面視Ｌ字状の挿入溝１１ａが形成されていると共に、挿入溝１１ａの奥部１１ｂと対向する側壁にねじ孔１１ｃが形成され、該ねじ孔１１ｂに締付ねじ１３が螺合されている。これにより、吊掛具１の挿入溝１１ａの奥部１１ｂを上記支持杆２３に挿入し、吊掛具１を所定の方向及び高さに位置合わせした状態で、締付ねじ１３により支持杆２３を挿入溝１１ａの奥部１１ｂに押し付けて吊掛具１を支持杆２３に取り付けるようになされている。また、吊掛軸部１２は金属製棒状部材からなり図２に示すように正面から見て上部が開放するコ字状の中央連結部１２ａと、中央連結部１２ａの両端部から左右外方に延びる左右吊掛部１２ｂ，１２ｃとを備えている。左右吊掛部１２ｂ，１２ｃには、それぞれ任意の位置に複数の引掛片１２ｄ…１２ｄが突設されている。そして、この吊掛軸部１２は中央連結部１２ａの下部が取付ボス部１１の挿入溝１１ａの奥部１１ｂ側の側壁外面に半田付け或いは溶接などの固着手段で固着され、取付ボス部１１を上記支持杆２３に取り付けたとき、上記支持杆２３に左右吊掛部１２ｂ，１２ｃが両持ち状に支持されるようになされている。【００１０】  次に、以上のように構成される吊掛具１の作用を説明する。
例えば靴下等の商品（図示せず）を樹脂製の簡易フックを介して吊下状に展示するため、展示用の支持部材２における支持杆２３の任意の位置に吊掛具１を取り付ける際には、まず、図４に示すように吊掛具１における挿入溝１１ａの奥部１１ｂを上記支持杆２３に挿入し、吊掛具１を所定の方向及び高さに位置合わせした状態で、締付ねじ１３により支持杆２３を挿入溝１１ａの奥部１１ｂに押し付けて吊掛具１を支持杆２３に取り付ける。これにより、吊掛具１の左右吊掛部１２ｂ，１２ｃが上記支持杆２３に両持ち状に支持される。この取付動作を繰り返し行って図１の実線及び仮想線で示すように多数取り付ける。【００１１】  斯くして、吊掛具１は支持杆２３に両持ち状に支持されることになるので、左右吊掛部１２ｂ，１２ｃに、それぞれ靴下等の商品を引掛片１２ｄ，１２ｄ間において多量に吊り下げることができる。これにより、従来の片持ちタイプ吊掛具に比べて使用する吊掛具１の個数を半減できて吊掛具１の支持杆２３への取付作業を簡単迅速にできると共に、段違いになることなく吊掛具１を支持杆２３に整然と取り付けることができる。その上、ねじ止め手段をもつ取付ボス部１１を備えた吊掛具１の個数を減らすことにより、全体としてのコストも抑えることができて経済的である。【００１２】  また、上記した実施の形態のように吊掛軸部１２の左右吊掛部１２ｂ，１２ｃを中央連結部１２ａの上端部から水平に延長する他、たとえば、図５に示すように左右吊掛部１２ｂ，１２ｃをハの字状に傾斜させてもよい。その場合、引掛片１２ｄ…１２ｄを多数等間隔をおいて設けておくことにより、吊り下げ物の自重を利用して一定間隔をおいて階段状に整然と吊り下げることができる。【００１３】  以上のように吊掛具１をハンガーとして使用する他、例えば図６に示すように隣り合う吊掛部１２ｂ，１２ｂ及び吊掛部１２ｃ，１２ｃの各引掛片１２ｄ，１２ｄ間に適宜棚板３，３を掛け渡し状に乗せることにより、小物などを載置する受け棚として利用することがきる。さらに、図７に示すように隣り合う吊掛具１の例えば右吊掛部１２ｃ，１２ｃ，１２ｃに案内板４を吊り下げることにより掲示板としても使用することができる。【００１４】  以上の実施の形態では、吊掛具１及び支持部材２の素材として金属製のものを用いた場合について説明したけれども、何ら金属製のものに限定されるものではなく、例えばプラスチックや木材など他の素材のものを用いてもよいことは勿論である。また、吊掛軸部１２に設ける引掛片１２ｄの形状は、適宜形状の突起や凹凸部であってもよいし、その個数は吊り下げる商品に応じて必要な数だけ設けるようにすればよい。
【図面の簡単な説明】
【００１５】
【図１】  本考案に係る吊掛具を展示用の支持部材に適用した状態を示す斜視図である。
【図２】  吊掛具の正面図である。
【図３】  同吊掛具の平面図である。
【図４】  取付ボス部の支持杆への取付状態を示す要部の拡大説明図である。
【図５】  吊掛具の別の使用状態を示す説明図である。
【図６】  別の使用状態を示す説明図である。
【図７】  さらに別の使用状態を示す説明図である。
【図８】  従来の説明図である。
【図９】  図８のイ−イ線矢視図である。
【符号の説明】
【００１６】  １          吊掛具
２          支持部材
１１        取付ボス部
１２        吊掛軸部
１２ａ      中間連結部
１２ｂ      左吊掛部
１２ｃ      右吊掛部
１２ｄ      引掛片
【図１】
0003118813.tif 000003
【図２】
0003118813.tif 000004
【図３】
0003118813.tif 000005
【図４】
0003118813.tif 000006
【図５】
0003118813.tif 000007
【図６】
0003118813.tif 000008
【図７】
0003118813.tif 000009
【図８】
0003118813.tif 000010
【図９】
0003118813.tif 000011